(57)【要約】【課題】開閉ファスナーを有する包装袋において、簡易な取り扱いで収納空間を計量部と収納部とに分けられて、収納物の計量を行なってその計量された収納物を袋外に出すことができるようにする。【解決手段】計量部９と収納部１０との間の境界部分１２の高さ位置で袋正面シート２と袋背面シート３とを重ね合わせした状態で袋背面シート３が内側となるように折り曲げして、取り出し口部１３と開閉ファスナー１１とを共に開いたときに、開閉ファスナー１１の第二ファスナーテープ１５が袋背面シート３に密着して収納部１０を閉鎖し、計量部９が開放される構成を有する。【選択図】図１
2018043788.tif 000002
【特許請求の範囲】
【請求項１】
袋正面シートと袋背面シートとの間の収納空間が、袋高さ方向に計量部と収納部とに区分されて、前記袋正面シートに、前記計量部と収納部との境界部分に対応して袋幅方向に亘る取り出し口部が位置しており、
前記袋正面シートの内面には、第一ファスナーテープと第二ファスナーテープとが係脱可能に係合してなる開閉ファスナーが、前記取り出し口部に重なるようにして設けられ、
前記開閉ファスナーにおける一方の第一ファスナーテープは、計量部側となる袋正面シートの内面に取り付けられているとともに、他方の第二ファスナーテープは、収納部側となる袋正面シートの内面に取り付けられていて、この第二ファスナーテープが、前記取り出し口部を跨いで第一ファスナーテープに収納空間側から重なり、その重なり部分で第二ファスナーテープが前記第一ファスナーテープに係脱可能に係合しており、
前記境界部分の高さ位置で袋正面シートと袋背面シートとを重ね合わせした状態で袋背面シートが内側となるように折り曲げして、取り出し口部と開閉ファスナーとを共に開いたときに、開閉ファスナーの前記第二ファスナーテープが袋背面シートに密着して収納部を閉鎖し、計量部が開放される構成としたことを特徴とする計量機能付き包装袋。
【請求項２】
袋形状を、袋正面シートと袋背面シートとの袋下部側に袋底面シートが配置されたスタンディングパウチ形状、または角底ガゼット形状としている請求項１に記載の計量機能付き包装袋。
【請求項３】
上記取り出し口部には、袋正面シートを引き裂く引き裂き手段が袋幅方向に亘って設けられている請求項１または２に記載の計量機能付き包装袋。
【請求項４】
上記計量部は、透明または半透明とされた収納物確認部分を有し、この収納物確認部分には、計量目安線または計量目盛りからなる指標が設けられている請求項１から３の何れか一項に記載の計量機能付き包装袋。
【請求項５】
上記計量部における袋正面シートと袋背面シートとの少なくとも一方のシートは透明シートとされていて、計量部は、この透明シートの全面に透明遮光インキまたは温度、湿度などの環境条件の変化によって透明となる遮光インキを施して、該計量部で収容可能とされる収納物の全量が目視できる広さとされた収納物確認部分を有している請求項１から４の何れか一項に記載の計量機能付き包装袋。
【請求項６】
上記袋背面シートには、上記開閉ファスナーに対応する部分の袋高さ方向での下位位置にして上記折り曲げをするときの折り込み線またはエンボス線が、袋幅方向に亘って設けられている請求項１から５の何れか一項に記載の計量機能付き包装袋。
【請求項７】
上記折り曲げをするときの折り位置を示す表示マークが設けられている請求項１から６の何れか一項に記載の計量機能付き包装袋。
【発明の詳細な説明】
【技術分野】
【０００１】
本発明は、粉体の食品や種実類などの顆粒の食品、そして粉体状や顆粒状とされたトイレタリー用品（例えば、入浴剤）などを収納する袋であって、これらの収納物を計量して取り出すことができる計量機能付きの包装袋に関するものである。
【背景技術】
【０００２】
従来から、袋の収納物の取り出し口とする部分に合成樹脂製の開閉ファスナーを配して再封性を備える包装袋が流通している。そして開閉ファスナーは、雄型の係合子をレール状に配したファスナーテープと雌型の係合子をレール状に配したファスナーテープとをその係合子同士のかみ合わせで係脱可能に係合させたものであった。
【０００３】
そして取り出し口を開くにはファスナーテープそれぞれの上縁などを持ちながらファスナーテープ同士が離れるように引き開けばよく、また開閉ファスナーを閉じるには、重ね合わせたファスナーテープを軽く指で押し潰すように挟み持ちながら係合子同士をかみ合わせ、挟み持つ指などを長手方向にスライドさせるようにしたものであった。
【０００４】
また一方、容器に収納した収納物を一度に使い切るのではなく、適量ずつ取り出すことができるようにする包装容器の一種として、シートの貼り合わせによって形成された包装袋であって、袋自体の構造を利用して収納物を加減しながら取り出すことができる包装袋が各種提案されている。さらにこの種の包装袋に上記合成樹脂製の開閉ファスナーを用いて再封性を向上させる提案がなされている。
【０００５】
例えば、特許文献１に示されている包装袋がある。この包装袋では、袋上部側から封止されている取り出し口、開閉ファスナーを順に配置するとともに、開閉ファスナーの位置の下方に袋側部それぞれが袋中央に向けて張り出るシール部を対にして形成していて、そのシール部の上部側を計量部にするとともに、シール部の下部側を収納部とし、収納部の収納物をシール部の間を通して開閉ファスナーまでの領域でその収納物の計量を行なうようにした工夫を有するものであった。
【０００６】
また特許文献２に示されているように、袋上部に開閉ファスナーを有するとともに、一方の袋側部から袋中央上方に向けて延設したヒートシールによってＶ字状の計量部を設けた包装袋が提案されている。
【０００７】
さらに包装袋での上記開閉ファスナーを用いた工夫として、特許文献３に示されているように袋正面シートの取り出し口部を、帯状の引き裂きテープにて引き裂き開口可能にして形成するとともに、この取り出し口部に対応するようにして袋正面シートの内面側に開閉ファスナーを設けた包装袋が示されている。
【０００８】
特許文献３の包装袋では、開閉ファスナーの一方のファスナーテープを取り出し口部の下位側に設けるとともに、他方のファスナーテープを取り出し口部の上位側に設けていて、この他方のファスナーテープを取り出し口部を跨ぐようにして前記一方のファスナーテープに袋内方側から重なる構造としており、引き裂きテープの引き裂きによって開放された取り出し口部が、一方のファスナーテープと他方のファスナーテープとの係合によって再封されるものである。
【０００９】
また包装袋での開閉ファスナーを用いた工夫を示す特許文献４では、包装袋の袋上部において袋正面シートと袋背面シートとの間に封止用シートを介在させ、その封止用シートと袋正面シートとの間に開閉ファスナーを組み付けた包装袋が示されており、収納物の充填時に開閉ファスナーを保護する工夫を有する包装袋としている。
【先行技術文献】
【特許文献】
【００１０】
【特許文献１】特開２００４−３０６９８５号公報
【特許文献２】特開２００２−３７０７５３号公報
【特許文献３】特許第２７４９８８６号公報
【特許文献４】特開平１０−１４７３５２号公報
【発明の概要】
【発明が解決しようとする課題】
【００１１】
上述したように、開閉ファスナーの下側に計量部と収納部とを有する特許文献１の包装袋では、袋正面シートと袋背面シートとをヒートシールして袋中央に張り出る対の量設定区画を設けていて、また特許文献２の包装袋においても、袋正面シートと袋背面シートとをヒートシールして一方の袋側部から袋中央に向けて連続する張り出しを設けている。
【００１２】
しかしながら、これらの包装袋の形状を、スタンディングパウチ形状や角底ガゼット形状とした包装袋にした場合、収納物の充填を袋上部側から行なう必要があることから、量設定区画やＶ字状の計量部の位置を通して収納部に収納物を充填し難いという問題がある。
【００１３】
また、袋正面シートと袋背面シートとをヒートシールした部分は硬くなるため、このヒートシールした部分が袋中央部分に向けて連続している袋に収納物を充填すると、収納部の収納空間の広がりが部分的に阻害されて、静置に適した袋下部形状が形成されず、自立性が悪い包装袋になってしまうという問題もある。
【００１４】
そこで本発明は上記事情に鑑み、開閉ファスナーを有する包装袋において、袋内部の収納空間を袋正面シートと袋背面シートとのヒートシールにて区分することなしに収納物の計量を行なってその計量された収納物を袋外に出すことができるようにすることを課題とし、簡易な取り扱いで収納空間を計量部と収納部とに分けられる包装袋を提供することを目的とするものである。
【課題を解決するための手段】
【００１５】
（請求項１の発明）
本発明は上記課題を考慮してなされたもので、袋正面シートと袋背面シートとの間の収納空間が、袋高さ方向に計量部と収納部とに区分されて、前記袋正面シートに、前記計量部と収納部との境界部分に対応して袋幅方向に亘る取り出し口部が位置しており、
前記袋正面シートの内面には、第一ファスナーテープと第二ファスナーテープとが係脱可能に係合してなる開閉ファスナーが、前記取り出し口部に重なるようにして設けられ、
前記開閉ファスナーにおける一方の第一ファスナーテープは、計量部側となる袋正面シートの内面に取り付けられているとともに、他方の第二ファスナーテープは、収納部側となる袋正面シートの内面に取り付けられていて、この第二ファスナーテープが、前記取り出し口部を跨いで第一ファスナーテープに収納空間側から重なり、その重なり部分で第二ファスナーテープが前記第一ファスナーテープに係脱可能に係合しており、
前記境界部分の高さ位置で袋正面シートと袋背面シートとを重ね合わせした状態で袋背面シートが内側となるように折り曲げして、取り出し口部と開閉ファスナーとを共に開いたときに、開閉ファスナーの前記第二ファスナーテープが袋背面シートに密着して収納部を閉鎖し、計量部が開放される構成としたことを特徴とする計量機能付き包装袋を提供して、上記課題を解消するものである。
【００１６】
（請求項２の発明）
そして本発明において、袋形状を、袋正面シートと袋背面シートとの袋下部側に袋底面シートが配置されたスタンディングパウチ形状、または角底ガゼット形状としていることが良好である。
【００１７】
（請求項３の発明）
また本発明において、上記取り出し口部には、袋正面シートを引き裂く引き裂き手段が袋幅方向に亘って設けられていることが良好である。
【００１８】
（請求項４の発明）
また本発明において、上記計量部は、透明または半透明とされた収納物確認部分を有し、この収納物確認部分には、計量目安線または計量目盛りからなる指標が設けられていることが良好である。
【００１９】
（請求項５の発明）
また本発明において、上記計量部における袋正面シートと袋背面シートとの少なくとも一方のシートは透明シートとされていて、計量部は、この透明シートの全面に透明遮光インキまたは温度、湿度などの環境条件の変化によって透明となる遮光インキを施して、該計量部で収容可能とされる収納物の全量が目視できる広さとされた収納物確認部分を有していることが良好である。
【００２０】
（請求項６の発明）
また本発明において、上記袋背面シートには、上記開閉ファスナーに対応する部分の袋高さ方向での下位位置にして上記折り曲げをするときの折り込み線またはエンボス線が、袋幅方向に亘って設けられていることが良好である。
【００２１】
（請求項７の発明）
また本発明において、上記折り曲げをするときの折り位置を示す表示マークが設けられていることが良好である。
【発明の効果】
【００２２】
（請求項１の発明の効果）
請求項１の発明によれば、計量部を一体に備えた包装袋であるため、瓶状の収納容器にセットする計量スプーンなどのような別部材を用意する必要がない。そして本発明の包装袋では、計量を行なうために収納空間を狭くする箇所がなく、袋上部側から収納部に向けて収納物をスムーズに充填できるようになる。さらに収納物を収納した包装袋において、収納部にある収納物は、袋を寝させて振ったり揺らしたりするなどの簡単な操作で計量部に移動するようになり、収納物に直接触れることなしに計量が簡単に行えるという効果がある。
【００２３】
また計量部と収納部との境界部分を袋背面シートを内側にして折り曲げて、取り出し口部と開閉ファスナーを開くときに開閉ファスナーの一方のファスナーテープが袋背面シートに接して収納部を閉鎖するように設けられているので、計量部から収納物を取り出す際、収納部に位置する収納物が計量部に入り込むのを簡単に防止でき、計量された収納物を適正に袋外に出すことができるという効果がある。
【００２４】
（請求項２の発明の効果）
請求項２の発明によれば、自立性を有する包装袋となるとともに、収納部の収納容量を大きくしながらも袋形状をコンパクトな形状にすることができるという効果がある。
【００２５】
（請求項３の発明の効果）
請求項３の発明によれば、鋏などの切断用具を用いずに包装袋を開封することができ、包装袋の開封操作が頗る簡単になるという効果がある。
【００２６】
（請求項４の発明の効果）
請求項４の発明によれば、計量目盛りを利用して収納物を計量部に位置させる量を調整することができ、正確に計量された収納物を袋外に取り出すことができるという効果がある。
【００２７】
（請求項５の発明の効果）
請求項５の発明によれば、収納物に対する遮光を行なって収納物の変質や劣化を防止できるとともに、収納物を取り出すときには計量部にて収納物確認部分を通して収納物を見ながら計量を行なえるという効果を奏する。
【００２８】
（請求項６の発明の効果）
請求項６の発明によれば、上記折り曲げを簡単に行えるようになるという効果がある。
【００２９】
（請求項７の発明の効果）
請求項７の発明によれば、折り曲げ位置を誤ることなく、より正確な位置で折り曲げを行なえるようになるという効果がある。
【図面の簡単な説明】
【００３０】
【図１】本発明に係る計量機能付き包装袋の実施の形態を袋正面シート側から見た状態で示す説明図である。
【図２】同じく実施の形態を図１Ａ−Ａ線に沿った断面で示す説明図である。
【図３】収納物を入れた実施の形態を斜視の状態で示す説明図である。
【図４】収納物の一部を計量部に移動させた状態を示す説明図である。
【図５】境界部分で折り曲げて取り出し口部を開封した状態を示す説明図である。
【図６】取り出し口部と開閉ファスナーを開いた状態を示す説明図である。
【図７】袋形状を角底ガゼットとした例を示す説明図である。
【図８】袋形状をパウチ形状とした例を示す説明図である。
【発明を実施するための形態】
【００３１】
つぎに本発明を図１から図８に示す実施の形態に基づいて詳細に説明する。図中１は本発明に係る計量機能付き包装袋で、図１と図２に示すようにこの包装袋１は、袋正面シート２と袋背面シート３とが相対しているとともに、袋下部４には袋底面シート５が袋正面シート２と袋背面シート３との間に折り入れられていて、袋正面シート２と袋背面シート３との直接に相対する側辺同士をヒートシールして左右の袋側部６が形成され、袋底面シート５と前記袋正面シート２との直接に相対する側辺同士及び下辺同士をヒートシールし、また袋底面シート５と前記袋背面シート３との直接に相対する側辺同士及び下辺同士をヒートシールして、袋下部４を閉じた形態の袋とされているものである。
【００３２】
また包装袋１の袋上部７も袋正面シート２と袋背面シート３との直接に相対する上辺同士をヒートシールして、袋上部７が形成されている。そしてこの包装袋１は、袋底面シート５を展開することで、袋下部４の袋正面シート２と袋背面シート３のそれぞれの下面中央が離れて広がりを有する袋下部４となるスタンディングパウチ形状の袋であり、自立性を備える袋とされているものである。
【００３３】
なお、この包装袋１が扁平な形態となっている時点は、収納物が入れられる前の状態であるとともに、袋上部７が充填口として開放されているが、包装袋１の説明を容易にするために、図１と図２に示す包装袋１は扁平な形態で袋上部７もヒートシールして閉じられている状態としている。
【００３４】
またこの実施の形態の包装袋１は重ね合わせたシートの辺部同士をヒートシールして成形されている袋であって、袋正面シート２と袋背面シート３と袋底面シート５とのそれぞれは、袋内面側がシーラントとなるように基材／シーラントの積層構成を基本とした柔軟な合成樹脂製シートを包材としている。
【００３５】
（収納空間）
袋正面シート２と袋背面シート３との間の収納空間８は袋上部７側を計量部９とし、袋下部４側を収納部１０とされていて、この収納空間８が計量部９と収納部１０とに区分されているが、包装袋１が曲げられるなどしない通常の状態において、収納空間８に入れられた収納物ａが収納部１０から計量部９に簡単に移動でき、計量部９から収納部１０にも簡単に移動できるように、計量部９と収納部１０とは連続している。（図２、図４参照）
【００３６】
本実施の形態において、上記収納部１０は収納空間８に入れられる所定量の収納物ａの全てを配置することができる空間の広がりを有することのできる部分であって、収納物ａの収納初期の時点でも、収納物ａを収納部１０に片寄せさせた状態で、その収納物ａの占める空間が計量部９までに及ばないように設けられている。
【００３７】
なお、本発明の包装袋１において、上記収納部１０は、収納初期の時点の収納物ａの全てを収めることのできる部分である必要は必ずしもない。即ち、収納物充填によって収納部１０が収納物ａで満たされるとともに、最初の一回目の計量（計量の仕方については後述）が適切に行なえる範囲にして、幾分かの収納物ａが計量部９にも及ぶように充填しても構わない。
【００３８】
（開閉ファスナー）
図２の断面で示されているように袋正面シート２の内面には開閉ファスナー１１が袋幅方向に亘って取り付けられていて、この開閉ファスナー１１は、袋高さ方向において上記収納空間８の計量部９と収納部１０との境界部分１２に対応する位置となるようにして設けられている。
【００３９】
また袋正面シート２には、上記境界部分１２に対応する位置にして袋幅方向に亘る取り出し口部１３が設けられており、袋正面シート２でのこの取り出し口部１３を跨ぐようにした重なる配置にして上記開閉ファスナー１１が取り付けられている。なお、取り出し口部１３については後述する。
【００４０】
上記開閉ファスナー１１は、共に袋幅方向に亘る第一ファスナーテープ１４と第二ファスナーテープ１５とからなるもので、第一ファスナーテープ１４に第二ファスナーテープ１５の一部分が重ね合わされ、その重ね合わせ部分で係脱可能に係合している。
【００４１】
そして図２に示されているように第一ファスナーテープ１４は、上記取り出し口部１３の位置より上位であって計量部９側の袋正面シート２の内面に取り付けられている。また他方の第二ファスナーテープ１５は、取り出し口部１３より下位であって収納部１０側となる袋正面シート２の内面に取り付けられているとともに、この第二ファスナーテープ１５が上述したように取り出し口部１３を跨ぎ、さらに上辺の部分が第一ファスナーテープ１４に収納空間８側から重なっている。
【００４２】
開閉ファスナー１１は、第一ファスナーテープ１４と第二ファスナーテープ１５との重なり部分で、この第一ファスナーテープ１４と第二ファスナーテープ１５とが係脱可能に係合する係合部１６を有している。この係合部１６は、第一ファスナーテープ１４のテープ部１７に一体となっている雄型係合子１８に、第二ファスナーテープ１５のテープ部１９に一体となっている雌型係合子２０が係脱可能に係止することにより形成されているものである。
【００４３】
このように実施の形態の包装袋１においては、袋正面シート２に計量部９と収納部１０との間の境界部分１２に対応する位置にして取り出し口部１３が設けられ、さらに袋正面シート２の内面に、取り出し口部１３を跨ぐようにして収納空間８側から上記開閉ファスナー１１が設けられていることから、取り出し口部１３が、例えば袋幅方向に横長にした細い開孔の形態となっている場合でも、開閉ファスナー１１自体が閉状態となっていることで、収納物ａが外部にこぼれ出ない。
【００４４】
（取り出し口部）
上記取り出し口部１３は、引き裂き手段である引き裂きテープ２１を袋正面シート２に貼着し、この引き裂きテープ２１によって上記開閉ファスナー１１の第二ファスナーテープ１５に対応する高さ位置に開口を引き裂き形成可能とされている。なお、上述したように開閉ファスナー１１が閉じていることで収納物の不用意な漏れを防止できるので、包装袋１の作製時点で取り出し口部をスリット状の細い開孔とすることも可能であるが、収納物を充填した包装袋１の流通時や店頭陳列時に収納物の変化、劣化などを防止する上では、引き裂き手段にて包装袋１が開封されることが良好である。
【００４５】
実施の形態での取り出し口部１３は、引き裂きテープ２１が予め上記第二ファスナーテープ１５のテープ部１９に剥離可能に貼り合わされているとともに、開閉ファスナー１１を袋正面シート２の内面に取り付ける際の熱圧着などで、引き裂きテープ２１が袋正面シート２にも貼り合わされたものとしている。そして一方の袋側部６において引き裂きテープ２１の端部２１ａを袋正面シート２の辺部とともに一緒に摘まみ持って引くことで、引き裂きテープ２１で袋正面シート２を引き裂いて開口が得られるようにしている。
【００４６】
（計量）
本発明の計量機能付き包装袋１にあっては、図４に示すように収納部１０に位置している収納物ａを上記計量部９に移動させて、またこの計量部９から少量の収納物ａが収納部１０に戻るように移動させながらこの計量部９にて計量を行なう。その後に包装袋１を上記境界部分１２の位置で、袋背面シート３が内側となるように折り曲げを行ない（図５）、収納物ａの移動が生じないようにしている。そして、上記取り出し口部１３を開くとともに開閉ファスナー１１を開いて、この計量部９から収納物ａを袋の外部へと取り出すようにすることで、計量された収納物ａが得られるようにするものである。
【００４７】
包装袋１の開封に際しては、取り出し口部１３での引き裂き手段による袋正面シート２に対する切り裂きを、上記折り曲げの前に行なうのが良好ではあるが、折り曲げた後に行なってもよく、特に限定されるものではない。
【００４８】
なお、計量された収納物ａを取り出した計量部９においては、引き開きによって離れている第一ファスナーテープ１４と第二ファスナーテープ１５とを重ね合わせ、係合子同士を咬み合わせて指先などで押し潰すようにスライドさせることで、開閉ファスナー１１が閉じる。そして折り曲げの状態を元に戻すことで、計量部９と収納部１０とが連続し、収納物ａの移動が行える状態となり、再び計量を行なうことができる。
【００４９】
（折り曲げ）
包装袋１は、袋正面シート２と袋背面シート３とを上記境界部分１２で重ね合わせて、開閉ファスナー１１の袋下部側となる高さ位置（第二ファスナーテープ１５の袋下部側となる高さ位置）で、上述したように袋背面シート３を内側として折り曲げ可能とされていて、まず収納物ａを計量部９に移して計量をした後、計量部９と収納部１０とが境界部分１２を通して連通しないように包装袋１を開閉ファスナー１１の袋下部側となる高さ位置で折り曲げる。（図５参照）
【００５０】
この折り曲げを行なうことで、上記第二ファスナーテープ１５のテープ部１９と袋背面シート３とが近接し合って密に接するように設けられている。さらに取り出し口部１３と開閉ファスナー１１とを共に開いたときには計量部９が開放され、前記第二ファスナーテープ１５のテープ部１７がより確実に袋背面シート３の内面に密着して収納部１０を閉鎖する。（図６参照）
【００５１】
このように第二ファスナーテープ１５のテープ部１７が袋背面シート３の内面に密着して収納部１０を閉鎖することから、計量部９から収納物ａを袋外に出す際に包装袋１を振ったり、或いは逆さまにしても、収納部１０の収納物ａが計量部９に入ることがなく、計量を適正に行える。
【００５２】
（表示マーク）
袋正面シート２の表面において開閉ファスナー１１の袋下部側（収納部側）となる高さ位置にして袋幅方向に亘る線状の印刷にて表示マーク２２が設けられており、上記折り曲げを行なう位置を確認し易くするためにこの表示マーク２２が利用されるようにしている。なお、表示マーク２２は、線状とすることに限定されるものではない。
【００５３】
（易折り曲げ補助手段）
また本実施の形態における包装袋１においては上述した折り曲げを行ない易くするために、易折り曲げ補助手段２３が袋背面シート３に設けられている。易折り曲げ補助手段２３は上記表示マーク２２の高さ位置と同様であって、第二ファスナーテープ１５に対応する部分の袋高さ方向での下位にして、袋幅方向に亘る折り込み線、またはエンボス線を袋背面シート３に形成したものである。（図３参照）
【００５４】
このように折り込み線やエンボス線からなる易折り曲げ補助手段２３を袋背面シート３に設けておくことで、折り曲げに対する包材自体の反発力を低減して、折り曲げ操作が行ない易くなる。
【００５５】
（包材）
上記包装袋１の包材（袋正面シート、袋背面シート、袋底面シート）は、一般的なパウチタイプの袋の包材として使用するシートが望ましい。例えば、
二軸延伸ナイロン（ＯＮＹ）／直鎖状低密度ポリエチレン（ＬＬＤＰＥ）、
ポリエチレンテレフタレート（ＰＥＴ）／二軸延伸ナイロン（ＯＮＹ）／直鎖状低密度ポリエチレン（ＬＬＤＰＥ）
などの積層構成を有する積層材が採用できる。
【００５６】
また、収納物ａとして粉状物、顆粒状物、粒状物などであれば限定されるものではないが、収納物ａに対して流通時や店舗陳列時での外環境からの影響を低減させる場合、ＶＭＰＥＴなどのバリア層を積層構成中に備える包材を利用して、ガスバリア性や遮光性を備える包材を用いることが望ましい。例えば、
二軸延伸ナイロン（ＯＮＹ）／蒸着ポリエチレンテレフタレート（ＶＭＰＥＴ：バリア性樹脂フィルム）／直鎖状低密度ポリエチレン（ＬＬＤＰＥ）
などの積層構成を有する積層材が採用できる。なお、本発明の包装袋１の包材はこれらに限定されるものではなく、上述したように基材／シーラントまたは基材／バリア層／シーラントの構成であれば限定されない。
【００５７】
包装袋１においては、収納部１０の収納物ａに対して外界から影響を低減させるため、少なくとも収納部１０の部分にガスバリア性や遮光性を持たせることが良好であるが、この収納部１０から計量部９に移動した収納物ａの量を確認できるようにする必要がある。そこで、本実施の形態の包装袋１は、計量部９の袋正面シート２において、一方の袋側部６側に寄る半面の配置にして透明または半透明とされた収納物確認部分２４が設けられている。そして前記収納物確認部分２４以外の包材部分については、化粧印刷などを施している。
【００５８】
（計量目盛り）
上記収納物確認部分２４には、計量部９に入った収納物ａの量を確認し易くするとともに、所望の量に調整を行ない易くするために計量目安線や計量目盛りからなる指標２５が印刷にて施されており、指標２５に重なった状態で収納物ａを見ながら収納物ａの量を調整操作すればよいものである。
【００５９】
（透明化可能な遮光インキ）
上記収納物確認部分２４は、透明または半透明とされているものとして説明したが、この収納物確認部分２４を通して収納部１０側に外光が入射し、その外光による収納物ａの変質や劣化の可能性を避けたい場合には、収納物確認部分２４における袋正面シート２を、遮光性を有し、計量時に収納物を目視確認できる透視が行える構成とすればよい。
【００６０】
計量時に透視して収納物を確認することのできる構成の例としてつぎのものが採用できる。計量部９の収納部確認部分２４の位置となる袋正面シート２についてこれを透明シートとし、この透明シートとして表れている収納物確認部分２４の全面に、透明遮光インキまたは温度、湿度などの環境条件の変化によって透明となる遮光インキを施すようにすればよい。
【００６１】
上記例では、収納物確認部分２４を通して収納物の確認が可能であるとともに遮光性をも備える透明遮光インキを、その収納物確認部分２４の透明シートに施したり、環境条件によって透明となる遮光インキを施すものとして説明したが、何れのインキにおいても遮光性を確保できるものであることから、計量部９の部分の袋正面シート２や袋背面シート３を透明シートとし、この透明シート全面に前記透明遮光インキや環境条件によって透明となる遮光インキを施すようにすることも可能である。
【００６２】
（形状）
実施の形態の包装袋１はスタンディングパウチ形状としていて、図１に示すように収納部１０の袋側部それぞれにおける内縁を袋中央に向けて僅かに膨らむ凸形状とするとともに、袋側部の外縁も袋中央に向けて凹む凹形状にしており、収納部１０を片手で保持し易くなるようにした形状とされている。また包装袋１の取り扱いの安全性を高めるために、袋上部７の隅部それぞれが角丸となる形状とすることも可能である。
【００６３】
（角底ガゼット形状）
さらに上記包装袋１をスタンディングパウチ形状とした例を示しているが、本発明はこれに限定されるものではない。例えば図７に示すように袋形状を、袋側部６それぞれにガゼットシート２６を配し、袋下部４を角底になるようにする角底ガゼット形状とすることが可能である。また図８に示すように袋形状を、袋正面シート２と袋背面シート３との重ね合わせによりなるパウチ形状とすることも可能である。
【符号の説明】
【００６４】
１…計量機能付き包装袋
２…袋正面シート
３…袋背面シート
５…袋底面シート
８…収納空間
９…計量部
１０…収納部
１１…開閉ファスナー
１２…境界部分（計量部９と収納部１０との間）
１３…取り出し口部
１４…第一ファスナーテープ
１５…第二ファスナーテープ
１６…係合部
２１…引き裂きテープ
２２…表示マーク
２３…易折り曲げ補助手段
２４…収納物確認部分
２５…指標
ａ…収納物
【図１】
2018043788.tif 000003
【図２】
2018043788.tif 000004
【図３】
2018043788.tif 000005
【図４】
2018043788.tif 000006
【図５】
2018043788.tif 000007
【図６】
2018043788.tif 000008
【図７】
2018043788.tif 000009
【図８】
2018043788.tif 000010